(57)【要約】【課題】運用系の運用時において待機系の障害の有無を知ることができるようにし、これによりサービス性の向上を図った通信装置の試験方法を提供すること。【解決手段】Ｎ＋１冗長化構成をとる回線インタフェース基板の待機系基板を利用し、運用系制御基板Ｃ０から回線インタフェース基板７Ｓへ指示を与えて通信路の経路を待機系に切替させる。そしてこの状態から、回線インタフェース基板７Ｓから運用系制御基板Ｃ０に対して疎通確認試験を行うことにより、待機系通信路の正常性を確認するようにしている。このようにしたので、待機状態の通信路に配置されるレイヤ２スイッチ２１，３１，４１の故障の有無を系切替前に確認することができるようになり、故障が検出された場合には交換作業等を行って系切替に備えることが可能となる。【選択図】      図３
2007243581.tif 000002
【特許請求の範囲】
【請求項１】
それぞれ通信網に接続される複数の回線インタフェース基板と、これらの複数の回線インタフェース基板への制御を司る制御基板とを備え、前記複数の回線インタフェース基板は複数の運用系基板に対して１つの待機系基板が用意されるＮ＋１冗長をなし、前記制御基板は１つの運用系基板に対し１つの待機系基板が用意される二重化冗長をなし、前記制御基板と前記複数の回線インタフェース基板との間の通信路は前記制御基板の系切替に連動して運用系と待機系とが切り替わる二重化冗長をなす通信装置の試験方法であって、
運用系の通信路の稼動状態において特定の回線インタフェース基板を待機系の通信路に接続する接続ステップと、
この接続ステップにより前記特定の回線インタフェース基板が前記待機系の通信路に接続された状態で、前記運用系の制御基板と前記特定の回線インタフェース基板との前記待機系の通信路を介しての疎通を試験する試験ステップと、
この試験ステップによる疎通確認の結果に基づいて、前記待機系の通信路の正常または異常を判定する判定ステップとを備えることを特徴とする通信装置の試験方法。
【請求項２】
前記接続ステップは、
前記運用系の制御基板から前記特定の回線インタフェース基板に指示を送ることにより当該特定の回線インタフェース基板を前記待機系の通信路に接続するステップであることを特徴とする請求項１に記載の通信装置の試験方法。
【請求項３】
前記特定の回線インタフェース基板は、待機系の回線インタフェース基板であることを特徴とする請求項１に記載の通信装置の試験方法。
【請求項４】
前記特定の回線インタフェース基板は、運用系の回線インタフェース基板のいずれか１つであることを特徴とする請求項１に記載の通信装置の試験方法。
【請求項５】
前記判定ステップにおいて前記待機系の通信路の異常が判定された場合に、その旨を前記通信網を介してネットワーク監視装置に通知するステップをさらに備えることを特徴とする請求項１に記載の通信装置の試験方法。
【発明の詳細な説明】
【技術分野】
【０００１】
この発明は、異種網を相互に接続するためなどに用いられる通信装置の試験方法に関し、特に二重化により冗長化構成をとる通信装置の試験方法に関する
【背景技術】
【０００２】
特許文献１の装置のように、数多くの通信システムにおいて、耐障害性能を高めるため冗長化構成がとられている。この文献に記載の装置は、回線制御部にＮ＋１冗長をとり、回線スイッチ部は１：１冗長をとり、回線インタフェース部には冗長構成をとらない構成である。
【０００３】
これ以外にも装置内冗長の組み方には様々なものがあり、例えば、制御基板を二重化構成、回線インタフェース基板を一重化構成とし、制御基板と回線インタフェース基板との通信路を二重化して、回線基板インタフェースにおける選択・切り替えにより経路切り替えを行うシステムがある。しかしながらこのような構成を持つシステムでは、待機系通信路が故障していたとしてもそのことを事前に知ることができない。すなわち、制御基板の待機系への切替に連動して通信路の運用系・待機系が交代した後に、はじめて待機系通信路の異常が検出される場合がある。このためサービスの継続性や故障交換の手順が制約されるという問題がある。
【特許文献１】特開平７−１５７５７号公報
【発明の開示】
【発明が解決しようとする課題】
【０００４】
以上述べたように既存の二重化システムにおいては、運用系の運用時において待機系の障害を知ることができない。このため冗長切り替え時にサービスが停止したり、故障交換の手順に制約が出るという問題がある。  
この発明は上記事情によりなされたもので、その目的は、運用系の運用時において待機系の障害の有無を知ることができるようにし、これによりサービス性の向上を図った通信装置の試験方法を提供することにある。
【課題を解決するための手段】
【０００５】
上記目的を達成するためにこの発明の一態様によれば、それぞれ通信網に接続される複数の回線インタフェース基板と、これらの複数の回線インタフェース基板への制御を司る制御基板とを備え、前記複数の回線インタフェース基板は複数の運用系基板に対して１つの待機系基板が用意されるＮ＋１冗長をなし、前記制御基板は１つの運用系基板に対し１つの待機系基板が用意される二重化冗長をなし、前記制御基板と前記複数の回線インタフェース基板との間の通信路は前記制御基板の系切替に連動して運用系と待機系とが切り替わる二重化冗長をなす通信装置の試験方法であって、運用系の通信路の稼動状態において特定の回線インタフェース基板を待機系の通信路に接続する接続ステップと、この接続ステップにより前記特定の回線インタフェース基板が前記待機系の通信路に接続された状態で、前記運用系の制御基板と前記特定の回線インタフェース基板との前記待機系の通信路を介しての疎通を試験する試験ステップと、この試験ステップによる疎通確認の結果に基づいて、前記待機系の通信路の正常または異常を判定する判定ステップとを備えることを特徴とする通信装置の試験方法が提供される。
【０００６】
このような手段を講じることにより、運用系の通信路が稼動している状態において、例えば待機系の回線インタフェース基板が待機系の通信路に接続される。この状態で運用系の制御基板と待機系の回線インタフェース基板との、待機系の通信路を介しての疎通が試験される。疎通が可能であれば、待機系の通信路の正常が確認される。疎通が不可能であれば、待機系の通信路の異常が確認される。
【０００７】
このような手順により、実際に障害発生時に系切替を行う前に、あらかじめ新運用系系となるべき通信路（待機系の通信路）の正常性を確認することが可能になる。しかも上記手順において運用系制御基板、運用系通信路、運用系回線インタフェース基板の間の通信には何ら影響が無い。従って運用系の運用時において待機系の障害の有無を知ることができるようになる。
【発明の効果】
【０００８】
この発明によれば、運用系の運用時において待機系の障害の有無を知ることができるようにし、これによりサービス性の向上を図った通信装置の試験方法を提供することができる。
【発明を実施するための最良の形態】
【０００９】
図１は、この発明に係わる通信装置の実施の形態を示す機能ブロック図である。この実施形態では、加入者回線とＩＰ（Internet Protocol）網とを相互接続するゲートウェイ装置を通信装置の例として採りあげる。図１のゲートウェイ装置１は、制御部１６、加入者回線インタフェース１１，１２、ＩＰ変換部１４、およびパケットスイッチ１５を備える。
【００１０】
このうち加入者回線インタフェース１１は加入者回線１１４のインタフェース制御を行い、加入者回線インタフェース１２は加入者回線１１５のインタフェース制御を行う。すなわち加入者回線インタフェース１１は加入者回線１１４を介して加入者端末や無線基地局を収容し、ＩＳＤＮ（Integrated Service Digital Network）の交換局側インタフェースを提供する。加入者回線インタフェース１２は加入者回線１１５に接続され、ＩＳＤＮの端末側インタフェースを提供する。制御部１６は、時分割スイッチなどの交換部１００を備える。交換部１００は、ＩＰ網ＤＮと加入者回線１１４、１１５のそれぞれとの通信経路を交換接続する。
【００１１】
ＩＰ変換部１４は制御部１６とＩＰ網ＤＮとの間に設けられ、網間のプロトコル変換を行う。すなわちＩＰ変換部１４は、交換部１００からの時分割多重信号をＩＰパケットに変換し、パケットスイッチ１５に入力する。ＩＰパケットは宛先ＩＰアドレスに従ってルーティングされ、ＬＡＮ（Local Area Network）ケーブル１１７を介してＩＰ網ＤＮに送出される。またＩＰ変換部１４は、ＩＰ網ＤＮからＬＡＮケーブル１１７およびパケットスイッチ１５を介して入力されるＩＰパケットを時分割多重信号に変換する。
【００１２】
制御部１６はゲートウェイ装置１の全体の制御を行う。つまり、制御部１６は加入者回線インタフェース１１、加入者回線インタフェース１２に対して加入者回線１１４、加入者回線１１５の制御を行うよう要求したり、加入者回線インタフェース１１、加入者回線インタフェース１２が検出した障害を総合的に管理する。
【００１３】
ゲートウェイ装置１はＩＰ網ＤＮを経由してネットワーク監視装置ＭＥに接続される。ネットワーク監視装置ＭＥは制御部１６との通信によりゲートウェイ装置１の運用情報を取得する。取得した情報はネットワーク監視装置ＭＥにおいて処理され、モニタなどに表示される。このように、ゲートウェイ装置１の運用状態を遠隔から監視、管理することが可能である。
【００１４】
図１において、制御部１６はＩＰ変換部１４およびパケットスイッチ１５を介してＩＰ網ＤＮに接続される。加入者回線インタフェース１１，１２および制御部１６はいずれも専用のＣＰＵ（Central Processing Unit）およびメモリ（図示せず）を備え、各メモリに記憶されるプログラムに基づくＣＰＵの演算処理により動作する。
【００１５】
図２は、図１のゲートウェイ装置１の冗長構成を示すブロック図である。図２において、制御基板Ｃ０およびＣ１はいずれも図１の制御部１６に対応し、回線インタフェース基板５Ａ，５Ｓ，６Ａ，６Ｓ，７Ａ，７Ｓは図１の加入者回線インタフェース１１，１２に対応する。レイヤ２スイッチ（Ｌ２ＳＷ）２０，３０，４０，２１，３１，４１は制御基板Ｃ０，Ｃ１と回線インタフェース基板５Ａ，５Ｓ，６Ａ，６Ｓ，７Ａ，７Ｓとの間の通信路に対応するもので、例えばＩＰなどのプロトコルを用いた装置内部ＬＡＮにより形成される。
【００１６】
制御基板Ｃ０およびＣ１は運用系と待機系からなる二重化冗長構成をとり、０系の制御基板Ｃ０または１系の制御基板Ｃ１のいずれか一方が運用系として運用される。回線インタフェース基板は複数の運用系基板に対して１つの待機系基板が用意されるＮ＋１冗長をなす。すなわち複数の回線インタフェース基板５Ａに対して待機系となる回線インタフェース基板５Ｓが一つ設けられる。同様に、複数の回線インタフェース基板６Ａに対して待機系となる回線インタフェース基板６Ｓが一つ、複数の回線インタフェース基板７Ａに対して待機系となる回線インタフェース基板７Ｓが一つ設けられる。回線インタフェース基板５Ａ，５Ｓ，６Ａ，６Ｓ，７Ａ，７Ｓはいずれも内部リレーを有し、このリレーを切り替えることにより、Ｌ２ＳＷを介した通信路が０系と１系との間で切り替えられる。この切替は、制御基板Ｃ０，Ｃ１の系切替に連動して実施される。
【００１７】
レイヤ２スイッチ２０，３０，４０は０系の通信路を形成し、レイヤ２スイッチ２１，３１，４１は１系の通信路を形成する。制御基板Ｃ０，Ｃ１とレイヤ２スイッチはインタフェースＰ１、Ｐ２を介して接続され、各系のレイヤ２スイッチはインタフェースＰ２を介して接続される。インタフェースＰ２により系間の通信が可能となる。
【００１８】
なお図２のゲートウェイ装置１は架構成をなし、基板を挿入した複数のサブラックを積み上げて構成される。サブラックごとに、Ｎ＋１冗長化構成をとる回線インタフェース基板が備えられる。
【００１９】
図３は、本発明の試験方法に係わる通信ルートを示す模式図である。図３に示す状態は無障害、すなわち１系への切替が無く制御基板Ｃ０からルートＡ（図中実線）を経由する通信路が形成されている状態であるとする。このとき回線インタフェース基板７Ｓは待機状態であり、このことを条件に運用系の制御基板Ｃ０から回線インタフェース基板７Ｓに指示を送り、通信経路を１系側に切り替えさせる。この指示を受けて回線インタフェース基板７Ｓは、通信路の経路を１系に切り替える。これにより制御基板Ｃ０と回線インタフェース基板７Ｓとの間に、１系の通信路を経由するルートＴ（図中点線）が形成される。
【００２０】
ルートＴが形成されると、回線インタフェース基板７ＳはルートＴを介してレイヤ２スイッチ２１，４１、および制御基板Ｃ０に向け疎通確認試験を行う。ここではＰｉｎｇコマンドなどを用いて、問い合わせに対する応答の有無を確認することにより試験が実施される。ここで問い合わせに対する応答があれば、１系の通信路の正常性が確認され、回線インタフェース基板７Ｓは疎通確認試験が正常に完了したことを制御基板Ｃ０に報告する。これを受けて制御基板Ｃ０は、経路を戻す指示を回線インタフェース基板７Ｓに対して与える。これに応じて回線インタフェース基板７Ｓは、Ｎ＋１冗長に関するサブラック内の回線インタフェース基板７Ａの予備用として再び待機状態となる。仮に、問い合わせに対する応答が無い場合には１系の通信路が異常であることが検出され、その旨がＩＰ網ＤＮを介してネットワーク監視装置ＭＥに通知される。
【００２１】
図４は、図１のゲートウェイ装置１における冗長切替を説明するための図である。図４において、０系の制御基板Ｃ０が稼動している状態においては通信路も０系が用いられ、ルートＡによる通信が実施される。この状態から制御系の系切替が発生すると、１系が運用となりこれに連動して通信路も１系に切り替えられ、ルートＳ（図中一点鎖線）を用いた通信が開始される。
【００２２】
しかしながら、１系の通信路の試験がなされていないと、その通信路の故障状態を系切替前に知ることができない。例えばレイヤ２スイッチ４１が故障していたとすると、１系運用状態となった際に回線インタフェース基板７Ｓと制御基板Ｃ１との通信が不通となり、システムとしての運用状態に支障が生じてしまうことになる。
【００２３】
そこでこの実施形態では、図３に示すように、Ｎ＋１冗長化構成をとる回線インタフェース基板の待機系基板を利用し、運用系制御基板Ｃ０から回線インタフェース基板７Ｓへ指示を与えて通信路の経路を待機系に切替させる。そしてこの状態から、回線インタフェース基板７Ｓから運用系制御基板Ｃ０に対して疎通確認試験を行うことにより、待機系通信路の正常性を確認するようにしている。このようにしたので、待機状態の通信路に配置されるレイヤ２スイッチ２１，４１の故障の有無を系切替前に確認することができるようになり、故障が検出された場合には交換作業等を行って系切替に備えることが可能となる。これらのことから、運用系の運用時において待機系の障害の有無を知ることができるようにし、これによりサービス性の向上を図った通信装置の試験方法を提供することが可能となる。
【００２４】
なお、この発明は上記実施の形態に限定されるものではない。例えば図３において、試験のため切替指示を回線インタフェース基板７Ｓに与えるようにしたが、通常の運用状態にある回線インタフェース基板７Ａに指示を与え、疎通試験を行うようにしても良い。ただし、回線インタフェース基板７Ａがインサービス状態にある場合、疎通試験実施によりエンドユーザの通信に支障が出る場合がある。そこで、以下の手順を実施するようにする。
【００２５】
（１）  運用系制御基板Ｃ０は、回線インタフェース基板７Ｓが待機状態にあることを確認する。  
（２）  運用系制御基板Ｃ０から回線インタフェース基板７ＡにＮ＋１予備切替を指示し、運用中のサービスを回線インタフェース基板７Ａから回線インタフェース基板７Ｓに引き継ぐ。  
（３）  運用系制御基板Ｃ０から回線インタフェース基板７Ａに疎通試験を指示する。
（４）  回線インタフェース基板７Ａは内部リレーを切り替え、運用系制御基板Ｃ０への疎通確認試験を実施する。  
（５）  回線インタフェース基板７Ａは内部リレーを元に戻し、疎通確認試験の結果を運用系制御基板Ｃ０に通知する。  
（６）  運用系制御基板Ｃ０は回線インタフェース基板７ＳにＮ＋１予備切り替えの状態を切り戻すように指示する。  
さらに、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００２６】
【図１】この発明に係わる通信装置の実施の形態を示す機能ブロック図。
【図２】図１のゲートウェイ装置１の冗長構成を示すブロック図。
【図３】本発明の試験方法に係わる通信ルートを示す模式図。
【図４】図１のゲートウェイ装置１における冗長切替を説明するための図。
【符号の説明】
【００２７】
１１４，１１５…加入者回線、１…ゲートウェイ装置、ＤＮ…ＩＰ網、ＭＥ…ネットワーク監視装置、１６…制御部、１１，１２…加入者回線インタフェース、１００…交換部、１４…ＩＰ変換部、１５…パケットスイッチ、１１７…ＬＡＮケーブル、Ｃ０，Ｃ１…制御基板、５Ａ，５Ｓ，６Ａ，６Ｓ，７Ａ，７Ｓ…回線インタフェース基板、２０，３０，４０，２１，３１，４１…レイヤ２スイッチ（Ｌ２ＳＷ）
【図１】
2007243581.tif 000003
【図２】
2007243581.tif 000004
【図３】
2007243581.tif 000005
【図４】
2007243581.tif 000006